(57)【特許請求の範囲】
【請求項１】
脚体に支持される天板の下方に取り付けた棚部材を備える机等の棚構造であって、前記棚部材は、側面視略Ｕ字状になるように金属製の棒材の両端部を折曲し該両端部を天板の下面に取り付けた左右一対の棚受け部材間に架設した複数本の金属製棒材から成り、前記金属製棒材の何れか２本を棚受け部材から側方に突出させて、その突出端部を側面視逆Ｕ字状になるように連接したことを特徴とする机等の棚構造。
【請求項２】
前記左右一対の棚受け部材は天板の下面を支持する左右一対の水平杆を介して天板に支持され、前記左右一対の水平杆は、該水平杆の前端部から垂直に垂下し、かつ該垂下した端部同士を連結したＵ字杆に連接し、該Ｕ字杆は前記脚体に支持されている請求項１に記載の机等の棚構造。
【請求項３】
前記突出端部の側面視逆Ｕ字状になる部分を複数個設けた請求項１または２に記載の机等の棚構造。
【発明の詳細な説明】
【技術分野】
【０００１】
本発明は、脚体に支持される天板の下方に取り付けた棚部材を備える机等の棚構造に関する。
【背景技術】
【０００２】
天板の下方に棚部材を備えた従来の机等の棚構造として、棚底が板部材で構成され、左右の側方部は側板で塞いで収納物の落下を防いでいた。そして側板に設けた掛止孔に吊り下げ用フックの先端を係止してカバン等を吊り下げることができるようにしたものが公知である（例えば、特許文献１参照）。一方、棚底を複数の線材で構成し周側部を開放した簡素な机等の棚構造も知られている（例えば、特許文献２参照）。
【０００３】
【特許文献１】実開昭５８−１９００３９号公報（第２図、４図）
【特許文献２】実開昭５８−１９００３９号公報（第１図）
【発明の開示】
【発明が解決しようとする課題】
【０００４】
前記特許文献１における棚構造は、棚底、前板及び側板が板材で囲うように箱状に構成されているために、棚に置かれた物品が誤って棚から落ちる心配がなく便利であるが、吊り下げフックと側板は別部品であるため部品点数が多くなるばかりでなく、板材を箱状に組み付けて天板下方に取り付けるのに多くの作業を要した。また棚が板材で覆われているため埃がたまりやすく棚内の清掃も面倒であった。一方、前記特許文献２に記載の棚は、脚杆に支持させた複数の線材で構成してあるため、構造が簡素で組み付けも容易でありしかも埃がたまりにくく清掃も楽であるが、棚の周側部が開放されているため棚に置いた物品が落下しやすく、しかも吊り下げフックを取り付けるにしても側部が開放されているために天板や脚柱にしか取り付けられず、吊り下げ位置が限定されていた。
【０００５】
本発明は、このような問題点に着目してなされたもので、構造が簡素で組み付けが容易であり、しかも棚の側方からの物品の落下が防げ、吊り下げフックの取付位置も前後方向において選択できる机等の棚構造を提供することを目的とする。
【課題を解決するための手段】
【０００６】
上記課題を解決するために、本発明の請求項１に記載の机等の棚構造は、脚体に支持される天板の下方に取り付けた棚部材を備える机等の棚構造であって、前記棚部材は、側面視略Ｕ字状になるように金属製の棒材の両端部を折曲し該両端部を天板の下面に取り付けた左右一対の棚受け部材間に架設した複数本の金属製棒材から成り、前記金属製棒材の何れか２本を棚受け部材から側方に突出させて、その突出端部を側面視逆Ｕ字状になるように連接したことを特徴としている。
この特徴によれば、棚部材が複数本の金属製棒材で構成されているので、構造が簡素で組み付けが容易であり、しかも埃がたまりにくく清掃が楽である。また、２本の金属製棒材を棚受け部材から側方に突出して側面視逆Ｕ字状の部分を構成するので、棚部材に置いた物品が側方から落下するのを阻止できるとともに、側面視逆Ｕ字状の部分の形成位置も前後方向において選択可能である。また、この側面視逆Ｕ字状の部分を利用して鞄等の物品を吊り下げることができるので、新たに吊り下げ用フックを用意する必要がなく、しかも、側面視逆Ｕ字状の部分が棚受け部材より突出しているので、鞄等の物品の吊り下げを容易に行える。
【０００７】
本発明の請求項２に記載の机等の棚構造は、請求項１に記載の机等の棚構造であって、前記左右一対の棚受け部材は天板の下面を支持する左右一対の水平杆を介して天板に支持され、前記左右一対の水平杆は、該水平杆の前端部から垂直に垂下し、かつ該垂下した端部同士を連結したＵ字杆に連接し、該Ｕ字杆は前記脚体に支持されていることを特徴としている。
この特徴によれば、水平杆と脚体に支持されたＵ字杆により机全体の支持強度が補強され、かつ棚受け部材を天板に直接取り付ける場合に比し容易に取り付けることができる。
【０００８】
本発明の請求項３に記載の机等の棚構造は、請求項１または２に記載の机等の棚構造であって、前記突出端部の側面視逆Ｕ字状になる部分を複数個設けたことを特徴としている。
この特徴によれば、側面視逆Ｕ字状になる部分が複数個設けられているので、棚部材に置いた物品の側方から落下をより防げると同時に、吊り下げ箇所を増やして使用者の利便性を図ることができる。
【発明を実施するための最良の形態】
【０００９】
本発明の実施例を以下に説明する。
【実施例】
【００１０】
図１は、本発明の実施例における机の棚構造の全体像を示す斜視図であり、図２は、机の側面図であり、図３は、机の一部拡大平面図であり、図４は、棚部材の使用例を示す机の背面図であり、図５は、机の側面の利用形態の一例を示す要部拡大斜視図である。
【００１１】
以下、本実施例の説明において、図１の手前の前列の机１’の正面側を前方をとし、後列の机１の背面側を後方とし、これら机１，１’の手前の側面側を左方、奥方の側面側を右方として説明する。この机１は、主に学校の教室や企業の研修室等に設置され、左右に横長で前後方向に複数設けられ、１つの机１につき数人の利用者が並列して着席可能になっている。
【００１２】
図１および図２に示されるように、机１は、床面１５に対して左右方向に等間隔で設置された前後方向を向く固定部３ｂおよび上下方向を向く金属製の支柱３ａからなる３本の側面視略逆Ｔ字に立設される脚体３と、これら脚体３にそれぞれ取り付けられる金属杆状の連結支持杆材９と、この連結支持杆９に支持される上面視横長矩形の天板２と、側面視Ｕ字状の金属パイプ等の杆材からなる棚受け部材７と、この棚受け部材７底部７ｂに前後に間隔をあけて均等設置され、左右方向に延在する棚部材８を構成する４つの金属製棒材からなる線材８ａと、連結支持杆９の前面に設けられた背板５と、後述する上方に折り畳み可能な椅子４と、から主に構成され、床面１５に対して固定部３ｂがボルト１４を介して前後３箇所で螺着されることで、机１全体の荷重が安定して支持されている。前列の机１’は前述の机１と略同様の構成であるが、背板５および椅子４が省かれ、天板２および脚体３の前面を覆う遮蔽材としての横長矩形の幕板６が立設して取り付けられている。
【００１３】
連結支持杆材９の天板２を支持する水平杆９ａは、前後方向に均等な長さを有し左右にそれぞれ配置され、且つ前端部から下方に向けて滑らかに折り曲げられ、垂直に垂下され、さらに垂下した端部同士が連結した背面視Ｕ字状のＵ字杆９ｂと一体的に連接されている（図４参照）。図２および図３に示されるように、支柱３ａの上端部前面には杆材取付部３ｃが設けられ、この杆材取付部３ｃの前面にＵ字杆９ｂの左右中央部が溶接固定され、Ｕ字杆９ｂの前面に背板５がネジ１３で螺着固定されている。
【００１４】
左右の水平杆９ａ，９ａののそれぞれの下面には、棚受け部材７，７上部の前後端部７ａ，７ａが溶接され、側面視Ｕ字状に取り付けられている。棚受け部材７，７の底部７ｂには、金属製棒材から成る直線状の線材８ａが複数本（本実施例では４本）が前後方向に等間隔で左右方向に向けて架設され、４本の線材８ａの内の前方２本を一組として、棚受け部材７，７からそれぞれ左右側方に突出して側面視が逆Ｕ字状になる部分８ｂ、８ｂが無端状に連接されている。同様に、後方２本の線材８ａ，８ａにも側面視逆Ｕ字状となる部分８ｂ，８ｂが形成されている。これら４本の線材８ａは、左右一対の棚受け部材７，７の底部７ｂとが交差する位置で溶接され、強固に固着されている。
【００１５】
机１の支柱３ａの略中央位置には、前方に延設したフレーム取付部３ｄと、このフレーム取付部３ｄに前方から上方に向けて回動可能に軸４ｃで軸支された支持フレーム４ａおよび支持フレーム４ａの上面に取り付けられた台座４ｂと、から構成される椅子４が設けられ、軸４ｃを中心に支持フレーム４ａが上方に向けて回動されると、台座４ｂが背板５側に折り畳み収納可能になっており、机１の前方に形成されたスペースを利用して左右方向に往来できる。
【００１６】
図３に示されるように、左右の水平杆９ａ，９ａには両杆９ａ，９ａを連結する連結板１２，１２が前後２箇所に離間して設けられている。これら連結板１２，１２には左右等間隔に上下方向に貫通するネジ孔１２ａ，１２ａが形成されており、特に図示しないがネジをネジ孔１２ａ，１２ａの下方より挿通して天板２の下面に螺着することで、天板２が連結板１２，１２に固着されている。
【００１７】
このようにして、構成された机１は図４に示されるように、３つの脚体３が左右方向に等間隔で床面１５に固定され、それぞれの脚体３に設けられた連結支持杆材９の左右の水平杆９ａ，９ａの上面で天板２の下面２ｂで支持しているので、天板２を安定して支持することができる。また、左右一対の水平部９ａ，９ａの前端部は、Ｕ字杆９ｂと一体に連結されているので、天板２の支持強度が向上されるとともに机１全体の強度も補強されることになる。
【００１８】
棚受け部材７，７は連結支持杆材９の水平杆９ａに取り付けることができるので、棚受け部材７，７を天板２の下面２ｂに直接取り付ける場合に比べ、容易に取り付けることができる。各水平杆９ａ，９ａに設けられた棚受け部材７，７に線材８ａが掛け渡されたことで、天板２の下方には種々の物品が収納可能なスペースが形成され、本１７や鞄１８等を適宜収納することができる。さらに、線材８ａの左右端には棚受け部材７，７の側方から突出して上向きに折り曲げ形成された逆Ｕ字状となる部分８ｂ，８ｂを利用して、鞄１８や折畳み傘１９や手提げ袋２０等の手掛けを側方から容易に引っ掛けて吊持することができる。
【００１９】
このように、棚部材８を構成する線材８ａが金属製棒材で構成されているので、構造が簡素で組み付けが容易であり、しかも物品類が載置される線材８ａが間隔を置いて配置されているので、棚部材８に埃がたまりにくく清掃が楽である。
【００２０】
図５に示されるように、逆Ｕ字状となる部分８ｂが棚受け部材７に対して前後２箇所に設けることで、前後位置に手提げ袋２０等の物品を２つ吊持させることができ、１つの脚体３に対して前後左右あわせて４箇所に物品を吊持可能になっており（図３参照）、また、逆Ｕ字状となる部分８ｂが棚受け部材７に対して側方に僅かに延出して設けられているので、物品が吊持しやすく且つ外方に突出することがない。また、棚受け部材７と逆Ｕ字状となる部分８ｂで矩形枠が形成されるため、この枠内に傘１９’の柄を引っ掛けることで、枠内で柄の前後移動を規制することができ、安易な取り外れを防止することもできる。
【００２１】
そして、側面視逆Ｕ字状となる部分８ｂが棚受け部材７の側方に設けられたことにより、線材８ａに載置された物品が側方から落下するのを確実に阻止できる。逆Ｕ字状となる部分８ｂへの物品の吊持方法は、利用者によって種々に応用可能であり、また、逆Ｕ字状となる部分８ｂの大きさや形成位置及び数も自由に形成できる。
【００２２】
本実施例では、逆Ｕ字状となる部分８ｂが線材８ａの端部を折り曲げて形成したものであるから、新たに吊り下げ用フック等の部品を用意する必要がない。尚、本実施例においては、後列の机１を中心に説明していたが、前列の机１’にも同様に逆Ｕ字状となる部分８ｂが設けられており、物品を吊持可能になっている。
【００２３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、左右一対の水平杆９ａ，９ａの端部を一体に連結したＵ字杆９ｂを設け連結支持杆材９を構成し、連結支持杆材９の水平杆で天板を支持しているが、本発明はこれに限定されるものではなく、連結支持杆材９を用いることなく、天板の下面に棚受け部材７，７を直接取り付けても良い。
【００２４】
また、上記実施例では、逆Ｕ字状となる部分８ｂが複数箇所設けられたことで、吊り下げ箇所が増え使用者１６の利便性が向上されていることから好ましいが、本発明はこれに限定されるものではなく、逆Ｕ字状となる部分８ｂの形状はほぼ逆Ｕ字状であればよく、三角形状や、波形形状であってもよい。棚部材８から物品が側方に落ちにくく、しかも鞄等を吊り下げられる形状であればよい。
【００２５】
また、上記実施例では、隣り合う線材８ａ、８ａ同士で逆Ｕ字状となる部分８ｂを形成してあるが離れた線材８ａ同士で広めの逆Ｕ字状となる部分８ｂを形成しても良い。
【図面の簡単な説明】
【００２６】
【図１】本発明の実施例における机の棚構造の全体像を示す斜視図である。
【図２】机の側面図である。
【図３】机の一部拡大平面図である。
【図４】棚部材の使用例を机の背面図である。
【図５】机の側面の利用形態の一例を示す要部拡大斜視図である。
【符号の説明】
【００２７】
１，１’                机
２                      天板
２ａ                    上面
２ｂ                    下面
３                      脚体
３ａ                    支柱
３ｂ                    固定部
３ｃ                    杆材取付部
３ｄ                    フレーム取付部
４                      椅子
４ａ                    支持フレーム（折り畳み式）
４ｂ                    台座
４ｃ                    軸
５                      背板
６                      幕板
７                      棚受け部材
７ａ                    端部
７ｂ                    底部
８                      棚部材
８ａ                    金属製棒材からなる線材
８ｂ                    逆Ｕ字状となる部分
９                      連結支持杆材
９ａ                    水平杆
９ｂ                    Ｕ字杆
１２                    連結板
１２ａ                  ネジ孔
１３                    ネジ
１４                    ボルト
１５                    床面
１６                    利用者
１７、１８、１９、２０  本、鞄、折畳み傘、手提げ袋（物品）
１９’                  傘（物品）
【図１】
0004666497.tif 000002
【図２】
0004666497.tif 000003
【図３】
0004666497.tif 000004
【図４】
0004666497.tif 000005
【図５】
0004666497.tif 000006